(57)【要約】  ユーザの頭部に装着可能な画像表示装置と通信可能なコントローラを保持するためのコントローラホルダであって、ユーザの胴体に装着可能な本体と、本体に設けられ、コントローラを本体に対して脱着可能な態様で保持するためのコントローラ保持機構と、を備える。
2018138863.tif 000002
【特許請求の範囲】
【請求項１】
ユーザの頭部に装着可能な画像表示装置と通信可能なコントローラを保持するためのコントローラホルダであって、
前記ユーザの胴体に装着可能な本体と、
前記本体に設けられ、前記コントローラを前記本体に対して脱着可能な態様で保持するためのコントローラ保持機構と、
を備えるコントローラホルダ。
【請求項２】
前記本体は、環状に形成されており、前記ユーザの一方の肩の外側と他方の脇腹の外側を通過するように前記ユーザの前記胴体に装着可能である、
請求項１に記載のコントローラホルダ。
【請求項３】
前記コントローラ保持機構は、前記本体に取り付けられる舌片部を含んでおり、
前記舌片部の一端は前記本体に接続されており、
前記舌片部の他端は前記本体に脱着可能に取り付けられており、
前記舌片部の本体側の面に前記コントローラを保持可能である、
請求項２に記載のコントローラホルダ。
【請求項４】
前記舌片部には、前記コントローラを保護する舌片部保護材が備えられている、
請求項３に記載のコントローラホルダ。
【請求項５】
前記舌片部保護材は、前記舌片部の前記他端と前記本体との接続部分を保護する接続部分保護部を含んでおり、
前記接続部分保護部は剛性を有する、
請求項４に記載のコントローラホルダ。
【請求項６】
前記コントローラは、前記画像表示装置とコードを介して通信可能に接続されており、
前記コントローラホルダは、
前記本体に設けられ、前記コードを保持するためのコード保持機構をさらに備える、
請求項１から５のいずれか一項に記載のコントローラホルダ。
【請求項７】
前記本体が前記ユーザの前記胴体に装着される場合に、前記画像表示装置に接続されている前記コードは、前記画像表示装置から伸びて前記ユーザの背中側を通過し、前記本体に設けられている前記コード保持機構によって保持される、
請求項６に記載のコントローラホルダ。
【請求項８】
前記本体は、内部に収容空間を備える袋状に形成されており、
前記コード保持機構は前記収容空間である、
請求項６または７に記載のコントローラホルダ。
【請求項９】
前記本体には、前記収容空間内の前記コードを保護するコード保護材が備えられている、
請求項８に記載のコントローラホルダ。
【請求項１０】
前記本体は、一本の帯体の両端部を接続することによって環状に形成される、
請求項２から９のいずれか一項に記載のコントローラホルダ。
【請求項１１】
環状に形成された前記本体に特定の大きさ以上の引張力が作用する場合に、前記両端部の接続が解除される、
請求項１０に記載のコントローラホルダ。
【請求項１２】
前記コントローラを放熱するための放熱機構をさらに備える、
請求項１から１１のいずれか一項に記載のコントローラホルダ。
【発明の詳細な説明】
【技術分野】
【０００１】
本明細書によって開示される技術は、ユーザの頭部に装着して使用される画像表示装置と通信可能なコントローラを保持するためのコントローラホルダに関する。
【背景技術】
【０００２】
例えば、特開２０１６−１４９５８７号公報（以下、特許文献１という）には、ユーザの頭部に装着して使用される画像表示装置が開示されている。この画像表示装置は、画像表示装置を制御するためのコントローラとコードを介して通信可能に接続されている。ユーザは、画像表示装置を頭部に装着した状態で、コントローラを操作することで、画像表示装置に様々な指示を入力することができる。
【発明の概要】
【発明が解決しようとする課題】
【０００３】
特許文献１の技術では、ユーザは、画像表示装置を使用している間、画像表示装置を装着するとともに、コントローラを片手または両手で把持している必要がある。そのため、コントローラを操作する時以外は、ユーザの片手または両手がコントローラで常時塞がってしまうという不都合がある。【０００４】
本明細書では、コントローラの操作時以外はユーザがコントローラを把持する必要性が少なく済むコントローラホルダを開示する。【０００５】
本明細書によって開示されるコントローラホルダは、ユーザの頭部に装着可能な画像表示装置と通信可能なコントローラを保持するためのコントローラホルダである。コントロールホルダは、ユーザの胴体に装着可能な本体と、本体に設けられ、コントローラを本体に対して脱着可能な態様で保持するためのコントローラ保持機構と、を備える。【０００６】
上記の構成によると、ユーザは、本体を胴体に装着し、コントローラ保持機構にコントローラを保持させることによって、コントローラを本体（即ちユーザの胴体）に保持させることができる。そして、ユーザは、コントローラを操作する場合、コントローラを本体から取り外し、取り外されたコントローラを操作することができる。従って、上記のコントローラホルダによると、ユーザは、コントローラの操作時以外はコントローラを把持する必要性が少なく済む。ここで、「コントローラ」は、ディスプレイを含む制御装置と、キーパッド等のみを含む操作装置と、のうちのどちらであってもよい。【０００７】
本体は、環状に形成されており、ユーザの一方の肩の外側と他方の脇腹の外側を通過するようにユーザの胴体に装着可能であってもよい。【０００８】
この構成によると、ユーザの胴体に本体を装着した場合において、ユーザの両手の動きが過度に制限されることがない。そのため、ユーザの両手の動きを過度に制限することなく、コントローラを保持することができる。【０００９】
コントローラ保持機構は、本体に取り付けられる舌片部を含んでいてもよい。舌片部の一端は本体に接続されており、舌片部の他端は本体に脱着可能に取り付けられており、舌片部の本体側の面にコントローラを保持可能であってもよい。【００１０】
この構成によると、ユーザは、舌片部の他端を本体から取り外すことで、舌片部の本体側の面に保持されたコントローラを舌片部から取り外すことなく操作することができる。そして、ユーザは、コントローラを操作しない間は、舌片部の他端を本体に取付けることで、舌片部によってコントローラが被覆されるようにコントローラを本体に保持させることができる。【００１１】
舌片部には、コントローラを保護する舌片部保護材が備えられていてもよい。【００１２】
この構成によると、舌片部に保持されるコントローラが衝撃等によって損傷する可能性を低減することができる。【００１３】
舌片部保護材は、舌片部の他端と本体との接続部分を保護する接続部分保護部を含んでいてもよい。接続部分保護部は剛性を有していてもよい。【００１４】
この構成によると、舌片部の他端が本体から取り外された状態で、ユーザが舌片部を保持していなくても、接続部分保護部が剛性を有するため、舌片部が本体から離れすぎることを防止し得る。そのため、高い操作性が実現され得る。【００１５】
コントローラは、画像表示装置とコードを介して通信可能に接続されていてもよい。コントローラホルダは、本体に設けられ、コードを保持するためのコード保持機構をさらに備えていてもよい。【００１６】
この構成によると、コントローラがコードを介して画像表示装置と接続される場合においても、コントローラに加えてコードを保持することができる。コードがユーザの邪魔になる可能性を低減し得る。【００１７】
本体がユーザの胴体に装着される場合に、画像表示装置に接続されているコードは、画像表示装置から伸びてユーザの背中側を通過し、本体に設けられているコード保持機構によって保持されてもよい。【００１８】
この構成によると、ユーザの前方をコードが通過することを防止することができる。そのため、コードがユーザの邪魔になる可能性をより低減し得る。【００１９】
本体は、内部に収容空間を備える袋状に形成されていてもよい。コード保持機構は収容空間であってもよい。【００２０】
この構成によると、コントローラホルダによって、コードを外部に露出させることなくコードを保持することができる。そのため、コードが衝撃や摩擦等で破損する可能性を低減し得る。【００２１】
本体には、収容空間内のコードを保護するコード保護材が備えられていてもよい。【００２２】
この構成によると、収容空間内のコードが衝撃や摩擦等によって損傷する可能性をより低減することができる。【００２３】
本体は、一本の帯体の両端部を接続することによって環状に形成されていてもよい。【００２４】
この構成によると、一本の帯体の両端部を接続したり切り離したりすることで、ユーザが本体を胴体に脱着し易くなる。【００２５】
環状に形成された本体に特定の大きさ以上の引張力が作用する場合に、両端部の接続が解除されてもよい。【００２６】
この構成によると、例えば本体が引っ張られる等して特定の大きさ以上の引張力が作用する際に、ユーザが本体に引っ張られてしまうことを防止することができる。本体が引っ張られてユーザが転倒等する可能性を低減することができる。【００２７】
コントローラを放熱するための放熱機構をさらに備えてもよい。【００２８】
この構成によると、放熱機構によって、コントローラホルダに保持されるコントローラを放熱することができる。コントローラが発熱してユーザが不快に感じる可能性を低減することができる。
【図面の簡単な説明】
【００２９】
【図１】ユーザがコントローラホルダを着用した様子の正面図を示す。
【図２】ユーザがコントローラホルダを着用した様子の背面図を示す。
【図３】コントローラホルダの説明図を示す。
【図４】本体の端部同士が接続される様子の説明図を示す。
【図５】図３の矢印Ｖの方向から見た舌片部の説明図を示す。
【００３０】
（実施例）
図１、図２に示すように、本実施例のコントローラホルダ１０は、コントローラ６を保持するためのホルダである。コントローラ６は、ユーザ１００の頭部に装着可能な画像表示装置２とコード４を介して通信可能に接続されている。図１、図２に示される画像表示装置２は、略眼鏡型のヘッドマウントディスプレイである。また、コントローラ６は、操作部と表示部とを兼ねるタッチパネル８等を備える制御用の端末装置である（図５参照）。さらに、コントローラ６は、コントローラ６及び画像表示装置２に電力を供給するバッテリ（図示省略）を内蔵している。ユーザ１００は、画像表示装置２を頭部に装着した状態で、コントローラ６を操作することで、画像表示装置２に様々な指示を入力することができる。なお、他の例では、コントローラ６は、タッチパネルを有さず、ボタン及びキーのみを有していてもよい。【００３１】
本実施例のコントローラホルダ１０は、ユーザ１００の胴体に装着可能であるとともに、コントローラ６及びコード４を保持可能なホルダである。図３に示すように、コントローラホルダ１０は、本体２０と、舌片部３０と、を備える。【００３２】
本体２０は、環状に形成されている部材である。本実施例では、本体２０は、例えば布等、変形自在な素材によって形成されている。図１、図２に示すように、本体２０は、ユーザ１００の一方の肩（図では右肩）の外側と、他方の脇腹（図では左脇腹）の外側を通過するようにユーザ１００の胴体に装着可能である。言い換えると、本体２０は、ユーザ１００に襷状に装着させることができる。そのため、本実施例では、ユーザ１００の胴体に本体２０を装着した場合において、ユーザ１００の両手の動きが過度に制限されることがない。本実施例のコントローラホルダ１０によると、ユーザ１００の両手の動きを過度に制限することなく、コントローラ６を保持することができる。以下では、ユーザ１００が本体２０を装着した場合におけるユーザ１００の身体の正面側を本体２０の「正面」と呼び、ユーザ１００の身体の背面側を本体２０の「背面」と呼ぶ場合がある。【００３３】
また、図３及び図４に示すように、本体２０は、一本の帯体の両端部に備えられた留め具２４、２５を接続することによって環状に形成されている。留め具２４、２５は、例えば嵌め込み式の留め具である。留め具２５の近傍には、ユーザ１００が留め具２４、２５の脱着操作を行う際に指（例えば親指）を挿入して本体２０を把持しやすくする環状部材８０が取り付けられている。即ち、ユーザ１００は、環状部材８０に指を通した状態で帯状の本体２０を把持し、本体２０を襷状に胴体に巻き付け、留め具２４、２５を接続することにより、本体２０を胴体に装着させることができる。即ち、本実施例では、一本の帯体の両端部を接続したり切り離したりすることで、ユーザ１００が本体２０を容易に胴体に脱着することができる。また、本実施例では、留め具２４、２５は、環状に形成された状態の本体２０に特定の大きさ以上の引張力が作用する場合に、留め具２４、２５の接続が解除されるように構成されている。即ち、ユーザ１００が本体２０を装着している間に、例えば本体２０が引っ張られる等して特定の大きさ以上の引張力が作用する際に、ユーザ１００が本体２０に引っ張られてしまうことを防止することができる。即ち、本体２０が引っ張られてユーザ１００が転倒等する可能性を低減することができる。他の例では、留め具２４、２５は面ファスナー、スナップボタン等、他の任意の留め具であってもよい。【００３４】
また、本体２０の正面にはバックル２２が取り付けられている。バックル２２は、舌片部３０のバックル３２と脱着可能である。【００３５】
また、本体２０の外側には、コントローラ６用の予備バッテリ（図示省略）を収容するためのバッテリ収容部７０が取り付けられている。バッテリ収容部７０はポケット状に形成されており、ユーザ１００は、予備バッテリをバッテリ収容部７０内に収容しておくことができる。【００３６】
また、本体２０は、環状に形成されているとともに、内部空間５０を有する袋状（筒状）に形成されている。そして、図２に示すように、本体２０の背面にはファスナー２６が取り付けられている。ファスナー２６を開くと開口部２７の開度が大きくなる。開口部２７は、本体２０の内部空間５０と連通している。図２、図３に示すように、ユーザ１００の頭部に装着された画像表示装置２から伸びるコード４は、ユーザ１００の背面、及び、開口部２７を通って内部空間５０内に収容される。本体２０の内部空間５０は、後述の舌片部３０の内部空間６０と連通している。【００３７】
舌片部３０は、本体２０に取り付けられる舌片状部材である。舌片部３０も本体２０と同じ素材で形成されている。舌片部３０の幅Ｗ２は、本体２０の幅Ｗ１と略同じである。舌片部３０のうち、本体側端部３０ａが本体２０の正面に接続されており、先端部３０ｂが本体２０に脱着可能に取り付けられている。先端部３０ｂには、本体２０のバックル２２と脱着可能なバックル３２が取り付けられている。ユーザ１００は、本体２０を装着した状態で、舌片部３０のバックル３２を本体２０のバックル２２に差し込むと、舌片部３０の先端部３０ｂを本体２０に固定することができ、舌片部３０のバックル３２を本体２０のバックル２２から取り外すと、先端部３０ｂを本体２０から取り外すことができる。【００３８】
図５に示すように、本体２０から先端部３０ｂが取り外された状態の舌片部３０の内側（より詳しくは、先端部３０ｂ付近の部分の内側）には、コントローラ６が固定される。コントローラ６は、公知の任意の手法で舌片部３０の内側に固定される。本体２０から先端部３０ｂが取り外された状態では、コントローラ６は、タッチパネル８がユーザ１００側を向くように、舌片部３０の内側に固定されている。ユーザ１００は、本体２０から取り外された状態の舌片部３０の内側に固定されたコントローラ６を操作することができる。即ち、本実施例によると、ユーザ１００は、舌片部３０の先端部３０ｂを本体２０から取り外すことで、舌片部３０の内側の面に固定されたコントローラ６を舌片部３０から取り外すことなく操作することができる。そして、ユーザ１００は、コントローラ６を操作しない間は、舌片部３０の先端部３０ｂを本体２０に固定することで、舌片部３０によってコントローラ６が被覆されるようにコントローラ６を本体２０に保持させることができる。【００３９】
また、舌片部３０も、本体２０と同様に内部空間６０を有する袋状（筒状）に形成されている。そして、図５に示すように、舌片部３０の内側にはファスナー３４が取り付けられている。ファスナー３４を開くと開口部３５の開度が大きくなる。開口部３５は、舌片部３０の内部空間６０と連通している。即ち、図２、図３、図５に示すように、ユーザ１００の頭部に装着された画像表示装置２から伸びるコード４は、ユーザ１００の背面、本体２０の内部空間５０を経由して舌片部３０の内部空間６０を通り、開口部３５から舌片部３０の外側に露出し、コントローラ６に接続される。コード４は、本体２０の内部空間５０及び舌片部３０の内部空間６０内に収容される。即ち、本実施例では、ユーザ１００の前方をコード４が通過することを防止することができるため、コード４がユーザ１００の邪魔になる可能性を低減することができる。また、コード４を外部に露出させることなく保持することができるため、コード４が衝撃や摩擦等で破損する可能性を低減することができる。【００４０】
図３、図５に示すように、本体２０の内部空間５０及び舌片部３０の内部空間６０内には、シート状の保護部材４０がさらに収容されている。保護部材４０は、衝撃を吸収可能な素材で形成されている。また、本実施例の保護部材４０は、本体２０の形状に沿って円弧状に曲げられた形状に維持されている。即ち、保護部材４０は、上記の円弧形状を維持可能な弾性を有している。この保護部材４０が備えられることにより、内部空間５０、６０内に収容されたコード４、及び、舌片部３０に固定されたコントローラ６を、衝撃や摩擦や曲げ等から保護することができる。また、本実施例では、保護部材４０のうち、舌片部３０のコントローラ６が固定されている範囲に対向する部分には、放熱シートが重ねられている。放熱シートを備えることで、コントローラ６から発生する熱を放熱することができる。コントローラ６が発熱してユーザ１００が不快に感じる可能性を低減することができる。【００４１】
また、保護部材４０のうち、内部空間５０と内部空間６０とが連通する範囲に亘る部分である接続部分保護部４２は剛性を有している。これにより、例えば、ユーザ１００が、本体２０から先端部３０ｂが取り外された状態の舌片部３０を手から離した場合であっても、舌片部３０の先端部３０ｂ側が直ちに垂れ下がることがなく、ユーザ１００の前方に保持され得る。即ち、本体２０から先端部３０ｂが取り外された状態の舌片部３０をユーザ１００が保持していなくても、舌片部３０が本体２０から離れすぎることを防止し得る。そのため、高い操作性が実現される。【００４２】
以上、本実施例のコントローラホルダ１０の構成及び使用方法について説明した。本実施例のコントローラホルダ１０によると、ユーザ１００は、本体２０を胴体に装着し、舌片部３０の内側にコントローラ６を保持し、舌片部３０を本体２０に固定することで、コントローラ６を本体２０（即ちユーザ１００の胴体）に保持させることができる。
そして、ユーザ１００は、コントローラ６を操作する場合、舌片部３０を本体２０から取り外し、舌片部３０の内側に固定されたコントローラ６を操作することができる。従って、本実施例のコントローラホルダ１０によると、ユーザ１００は、コントローラ６の操作時以外はコントローラ６を把持する必要性が少なく済む。【００４３】
実施例と請求項の対応関係を説明しておく。舌片部３０が「コントローラ保持機構」の一例である。本体２０の内部空間５０及び舌片部３０の内部空間６０が「コード保持機構」の一例である。保護部材４０のうち、舌片部３０の内部空間６０に設けられた部分が「舌片部保護材」の一例である。また、保護部材４０が「コード保護材」の一例である。また、保護部材４０に重ねられている放熱シートが「放熱機構」の一例である。【００４４】
以上、実施例を詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を採用してもよい。【００４５】
（変形例１）上記の実施例では、舌片部３０の先端部３０ｂを本体２０に脱着可能に取り付けるためのバックル２２、３２が設けられている。舌片部３０の先端部３０ｂを本体２０に脱着可能に取り付けるための機構はこれに限られず、例えば面テープ、スナップボタン等、任意の取り付け機構を用いることができる。【００４６】
（変形例２）上記の実施例では、本体２０は、一本の帯体の両端部を接続することによって環状に形成されている。これに限られず、本体２０は、初めから環状に形成されていてもよい。その場合、本体２０は一本の帯体に変形不可能であってもよい。【００４７】
（変形例３）本体２０は周長を調節可能な調節機構を有していてもよい。【００４８】
（変形例４）保護部材４０を省略してもよい。【００４９】
（変形例５）上記の実施例では、保護部材４０に重ねられている放熱シートによってコントローラ６の放熱を図っている。コントローラ６を放熱するための放熱機構はこれに限られず、例えば、舌片部３０にファンを備える等、任意の放熱機構を用いることができる。【００５０】
（変形例６）本体２０及び舌片部３０が、内部空間を有さない形状に形成されていてもよい。その場合、コード４は、本体２０及び舌片部３０の外側面に沿って固定するようにしてもよい。その場合の本体２０及び舌片部３０の外側面が「コード保持機構」の一例である。【００５１】
（変形例７）舌片部３０を省略してもよい。その場合、本体２０の外側面にコントローラ６を脱着可能に保持できればよい。その場合の本体２０の外側面が「コントローラ保持機構」の一例である。【００５２】
（変形例８）上記の実施例では、本体２０は、襷状にユーザ１００の胴体に装着可能な環状の部材である。これに限られず、本体は、ユーザ１００の胴体に装着可能な形状であれば、例えばベルト型、アームバンド型、ハーネス型等、任意の形状であってもよい。その場合も、本体は、コード４を収容可能な内部空間を有する袋状に形成されていてもよい。【００５３】
（変形例９）上記の実施例では、コントローラホルダ１０によって保持されるコントローラ６は、画像表示装置２とコード４を介して通信可能に接続されている。これに限られず、コントローラホルダ１０によって保持されるコントローラ６は、画像表示装置２と無線通信可能なものであってもよい。即ち、コントローラ６と画像表示装置２とを接続するコード４が存在しなくてもよい。【００５４】
（変形例１０）上記の実施例では、コントローラ６が、コントローラ６及び画像表示装置２に電力を供給するバッテリ（図示省略）を内蔵している。これに限られず、バッテリは、画像表示装置２に設けられていてもよい。また、他の例では、バッテリは、コントローラ６及び画像表示装置２とは別個に備えられていてもよい。その場合、バッテリは、コントローラ６及び画像表示装置２に対して、有線あるいは無線によって電力を供給するように構成されていてもよい。【００５５】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図１】
2018138863.tif 000003
【図２】
2018138863.tif 000004
【図３】
2018138863.tif 000005
【図４】
2018138863.tif 000006
【図５】
2018138863.tif 000007
【国際調査報告】
2018138863.tif 000008
2018138863.tif 000009
2018138863.tif 000010
2018138863.tif 000011